(57)【要約】【課題】主に各種電子機器の操作に用いられるリモコン送信機に関し、防塵性や防水性を高め、確実な操作が可能なものを提供することを目的とする。【解決手段】上端がケース１１上面から突出し、下端が回転操作型電子部品４の球体３に当接するボール１５を設けることによって、例えばデザイン変更等によってボール１５の大きさを変える場合にも、回転操作型電子部品４はそのままで、ボール１５のみを変更すればよいため、安価に製作が行えると共に、ボール１５によって回転操作型電子部品４の防塵性や防水性を高め、確実な操作が可能なリモコン送信機を得ることができる。【選択図】図１
2010050662.tif 000002
【特許請求の範囲】
【請求項１】
ケース内に収納され球体の回転方向と回転量を検出する回転操作型電子部品と、上記球体の回転に応じて送信手段からリモコン信号を送信する制御手段からなり、上端が上記ケース上面から突出し、下端が上記球体に当接するボールを設けたリモコン送信機。
【請求項２】
ボール下面とケース間に、これらに弾接する弾性体を設けた請求項１記載のリモコン送信機。
【発明の詳細な説明】
【技術分野】
【０００１】
本発明は、主に各種電子機器の遠隔操作に用いられるリモコン送信機に関するものである。
【背景技術】
【０００２】
近年、テレビやビデオ、エアコン等の各種電子機器の高機能化が進むなか、これらを遠隔操作するリモコン送信機においても、多様で確実な操作を行えるものが求められている。
【０００３】
このような従来のリモコン送信機について、図４〜図６を用いて説明する。
【０００４】
図５は従来のリモコン送信機の斜視図、図６は同分解斜視図であり、同図において、１は略箱状で絶縁樹脂製のケース、２はゴム等の操作体で、操作体２には下方に略リング状の薄肉部が形成された複数の操作部２Ａが設けられると共に、この操作部２Ａがケース１上面の貫通孔から上下動可能に突出している。
【０００５】
そして、３は上下面に複数の配線パターン（図示せず）が形成された配線基板で、この上面に操作体２が載置されると共に、配線基板３上面に形成された複数の固定接点３Ａと、複数の操作部２Ａ下面に形成された可動接点２Ｂが所定の間隔を空けて対向している。
【０００６】
また、４は配線基板３上面に実装された回転操作型電子部品で、上面に球体５を装着した箱体６内には、磁気または光検出素子やスイッチ接点（図示せず）等が収納され、これらによって球体５の回転方向と回転量を検出し、検出信号を出力するように形成されると共に、球体５がケース１上面の開口孔から回転可能に突出している。
【０００７】
さらに、配線基板３の上下面には、発光ダイオード等のリモコン信号を送信する送信手段７や、配線パターンを介して送信手段７や複数の固定接点３Ａ、回転操作型電子部品４に接続された、マイコン等の制御手段８が形成されると共に、ケース１下面を絶縁樹脂製のカバー９が覆って、リモコン送信機が構成されている。
【０００８】
以上の構成において、リモコン送信機を操作する電子機器に向けて、指で所定の操作部２Ａ上面を押圧操作すると、略リング状の薄肉部が弾性変形して操作部２Ａが下方へ移動し、この下面の可動接点２Ｂが複数の固定接点３Ａに接触して、可動接点２Ｂを介して複数の固定接点３Ａの電気的接離が行われ、この電気的接離に応じて制御手段８が、送信手段７から赤外線のリモコン信号を電子機器へ送信し、例えば、テレビの電源の入／切や音量の増減等が遠隔操作によって行われる。
【０００９】
また、図４の正面図に示すように、遠隔操作する電子機器３０の表示画面３１に、例えば番組表や番組案内等のメニューが表示された状態で、ケース１上面から突出した球体５を前後左右方向に回転操作すると、これを箱体６内の磁気または光検出素子が検出し、この球体５の回転方向と回転量が検出信号として制御手段８に出力される。
【００１０】
そして、この球体５の回転方向と回転量に応じたリモコン信号を、制御手段８が送信手段７から機器へ送信し、例えば、表示画面３１に表示されたカーソル３２やポインタ３３等が、球体５を回転した上下方向や左右方向へ、回転した量に応じた距離だけ移動して、番組表や番組案内等のメニューの選択が行われる。
【００１１】
さらに、カーソル３２やポインタ３３等が所望の番組やメニュー上に位置した状態で、球体５を下方へ押圧操作すると、箱体６内のスイッチ接点の電気的接離が行われ、これを制御手段８が検出して送信手段７からリモコン信号を送信し、例えば、番組の予約や次のメニューの表示等が行われる。
【００１２】
つまり、複数の操作部２Ａの押圧操作によって、電源や音量といった機器の各機能の遠隔操作を行うと共に、回転操作型電子部品４の球体５の回転操作によって、番組表等の表示画面３１に表示されたメニューの選択を行い、さらに球体５の押圧操作によって、メニューの確定や次メニューの表示等を、遠隔操作によって行うことができるように構成されているものであった。
【００１３】
なお、この出願の発明に関連する先行技術文献情報としては、例えば、特許文献１が知られている。
【特許文献１】特開２００６−３３６８０号公報
【発明の開示】
【発明が解決しようとする課題】
【００１４】
しかしながら、上記従来のリモコン送信機においては、回転操作型電子部品４の球体５をケース１上面から突出させ、これをそのまま用いてメニュー等の遠隔操作を行っているため、例えばデザイン変更等によって球体５の大きさを変える場合には、回転操作型電子部品４全体を新たに製作し直す必要があり、高価なものになると共に、球体５と箱体６やケース１上面との間には、僅かではあるが隙間があるため、回転操作型電子部品４内への塵埃や水滴等の侵入を、完全に防ぐことは困難であるという課題があった。
【００１５】
本発明は、このような従来の課題を解決するものであり、防塵性や防水性を高めると共に、多様な操作が可能なリモコン送信機を提供することを目的とする。
【課題を解決するための手段】
【００１６】
上記目的を達成するために本発明は、以下の構成を有するものである。
【００１７】
本発明の請求項１に記載の発明は、上端がケース上面から突出し、下端が回転操作型電子部品の球体に当接するボールを設けてリモコン送信機を構成したものであり、例えばデザイン変更等によってボールの大きさを変える場合にも、回転操作型電子部品はそのままで、ボールのみを変更すればよいため、安価に製作が行えると共に、ボールによって回転操作型電子部品の防塵性や防水性を高め、確実な操作が可能なリモコン送信機を得ることができるという作用を有する。
【００１８】
請求項２に記載の発明は、請求項１記載の発明において、ボール下面とケース間に、これらに弾接する弾性体を設けたものであり、弾性変形可能な弾性体をボール下面とケースに弾接させることによって、この下方の回転操作型電子部品への塵埃や水滴等の侵入をほぼ完全に防ぐことができるため、球体の安定した回転が可能となり、さらに操作を確実に行うことができるという作用を有する。
【発明の効果】
【００１９】
以上のように本発明によれば、防塵性や防水性を高め、確実な操作が可能なリモコン送信機を実現できるという有利な効果が得られる。
【発明を実施するための最良の形態】
【００２０】
以下、本発明の実施の形態について、図１〜図４を用いて説明する。
【００２１】
なお、これらの図面は構成を判り易くするために、部分的に寸法を拡大して表している。
【００２２】
また、背景技術の項で説明した構成と同一構成の部分には同一符号を付して、詳細な説明を簡略化する。
【００２３】
（実施の形態）
図１は本発明の一実施の形態によるリモコン送信機の断面図、図２は同分解斜視図であり、同図において、１１は略箱状でポリスチレンやＡＢＳ等の絶縁樹脂製のケース、１２はゴムやエラストマー等の操作体で、操作体１２には下方に略リング状の薄肉部が形成された複数の操作部１２Ａが設けられると共に、この操作部１２Ａがケース１１上面の貫通孔から上下動可能に突出している。
【００２４】
そして、３は紙フェノールやガラス入りエポキシ等の配線基板で、上下面には銅箔等によって複数の配線パターン（図示せず）が形成されると共に、この上面に操作体１２が載置され、配線基板３上面に形成された複数の固定接点３Ａと、複数の操作部１２Ａ下面に形成された可動接点１２Ｂが所定の間隙を空けて対向している。
【００２５】
また、４は配線基板３上面に実装された回転操作型電子部品で、上面に球体５を回転可能に装着した箱体６内には、磁気または光検出素子やスイッチ接点（図示せず）等が収納され、これらによって球体５の回転方向と回転量を検出し、検出信号を出力するように形成されると共に、この回転操作型電子部品４外周を操作体１２の円筒部１２Ｃが覆っている。
【００２６】
さらに、配線基板３の上下面には、発光ダイオード等のリモコン信号を送信する送信手段７や、配線パターンを介して送信手段７や複数の固定接点３Ａ、回転操作型電子部品４に接続された、マイコン等の制御手段８が形成されると共に、ケース１１下面を絶縁樹脂製のカバー９が覆っている。
【００２７】
そして、１５は絶縁樹脂または金属製のボール、１６は同じく円柱状のローラで、ボール１５が複数のローラ１６を介して、ケース１１上面の開口孔１１Ａ内に回転可能に収納されると共に、ボール１５下端が回転操作型電子部品４の球体５上端に当接している。
【００２８】
また、１７は絶縁樹脂製のキャップで、このキャップ１７が開口孔１１Ａにねじ込まれてケース１１上面に装着固定されると共に、キャップ１７上面からはボール１５上端が回転可能に突出している。
【００２９】
さらに、１８は断面視略コの字状でゴムやエラストマー等の弾性体で、図３の部分斜視図に示すように、この中央の中空部１８Ａにボール１５下面の外周が密着し、弾性体１８全体がやや撓んだ状態で、ボール１５下面と開口孔１１Ａ上面に弾接して、リモコン送信機が構成されている。
【００３０】
以上の構成において、リモコン送信機を操作する電子機器に向けて、指で所定の操作部１２Ａ上面を押圧操作すると、略リング状の薄肉部が弾性変形して操作部１２Ａが下方へ移動し、この下面の可動接点１２Ｂが複数の固定接点３Ａに接触して、可動接点１２Ｂを介して複数の固定接点３Ａの電気的接離が行われ、この電気的接離に応じて制御手段８が、送信手段７から赤外線のリモコン信号を電子機器へ送信し、例えば、テレビの電源の入／切や音量の増減等が遠隔操作によって行われる。
【００３１】
また、図４の正面図に示すように、遠隔操作する電子機器３０の表示画面３１に、例えば番組表や番組案内等のメニューが表示された状態で、ケース１１上面から突出したボール１５を指で前後左右方向に回転操作すると、この下端に当接した球体５がボール１５とは逆方向に回転して、これを箱体６内の磁気または光検出素子が検出し、この球体５の回転方向と回転量が検出信号として制御手段８に出力される。
【００３２】
そして、この球体５の回転方向と回転量に応じたリモコン信号を、制御手段８が送信手段７から機器へ送信し、例えば、表示画面３１に表示されたカーソル３２やポインタ３３等が、ボール１５を回転した上下方向や左右方向へ、回転した量に応じた距離だけ移動して、番組表や番組案内等のメニューの選択が行われる。
【００３３】
さらに、カーソル３２やポインタ３３等が所望の番組やメニュー上に位置した状態で、ボール１５を下方へ押圧操作すると、弾性体１８がさらに撓み、このボール１５下端に押圧された球体５が下方へ移動して、箱体６内のスイッチ接点の電気的接離が行われ、これを制御手段８が検出して送信手段７からリモコン信号を送信し、例えば、番組の予約や次のメニューの表示等が行われる。
【００３４】
つまり、複数の操作部１２Ａの押圧操作によって、電源や音量といった機器の各機能の遠隔操作を行うと共に、ボール１５の回転操作によって、回転操作型電子部品４の球体５を回転させて、番組表等の表示画面３１に表示されたメニューの選択を行い、さらにボール１５の押圧操作によって、メニューの確定や次メニューの表示等を、遠隔操作によって行うことができるように構成されている。
【００３５】
そして、以上のように、メニュー等の遠隔操作に用いられるボール１５が、ケース１１上面の開口孔１１Ａ内に装着されているため、例えばデザイン変更等によってボール１５の大きさを変える必要がある場合にも、回転操作型電子部品４はそのままで、ボール１５やキャップ１７等の数点の構成部品のみを変更すればよく、比較的安価に製作が行えるようになっている。
【００３６】
なお、球体５を回転する力が一定の場合、球体５よりもボール１５の直径を大きくすれば、ボール１５の回転操作力は軽くなり、ボール１５の直径を小さくすれば重くなるため、球体５の回転力と直径に応じてボール１５を組み合わせることで、様々な回転操作力の多様な操作を実現することができる。
【００３７】
また、回転操作型電子部品４の球体５を指で直接回転操作するのではなく、ボール１５を回転操作し、この下端に当接した球体５を回転しているため、開口孔１１Ａ内に収納されキャップ１７に覆われたボール１５によって、回転操作型電子部品４の防塵性や防水性を高め、確実な操作が可能な構成となっている。
【００３８】
さらに、ボール１５下面とケース１１の間に、弾性変形してこれらに弾接する弾性体１８を設け、ボール１５の下面外周を弾性体１８に密着させることによって、この下方の回転操作型電子部品４への塵埃や水滴等の侵入を、ほぼ完全に防ぐことができるようになっている。
【００３９】
このように本実施の形態によれば、上端がケース１１上面から突出し、下端が回転操作型電子部品４の球体３に当接するボール１５を設けることによって、例えばデザイン変更等によってボール１５の大きさを変える場合にも、回転操作型電子部品４はそのままで、ボール１５のみを変更すればよいため、安価に製作が行えると共に、ボール１５によって回転操作型電子部品４の防塵性や防水性を高め、確実な操作が可能なリモコン送信機を得ることができるものである。
【００４０】
また、ボール１５下面とケース１１間に、これらに弾接する弾性体１８を設けることによって、この下方の回転操作型電子部品４への塵埃や水滴等の侵入をほぼ完全に防ぐことができるため、球体５の安定した回転が可能となり、さらに確実な操作を行うことができる。
【００４１】
なお、以上の説明では、ボール１５下面とケース１１間に断面視略コの字状で、中央に中空部１８Ａが形成された弾性体１８を装着した構成について説明したが、略リング状や断面視中空のいわゆるＯリング状のもの等、弾性変形可能でボール１５下面外周に密着する形状のものであれば、様々な形状の弾性体１８を用いた構成としても、本発明の実施は可能である。
【産業上の利用可能性】
【００４２】
本発明によるリモコン送信機は、防塵性や防水性を高め、確実な操作が可能なものが得られ、主に各種電子機器の操作用として有用である。
【図面の簡単な説明】
【００４３】
【図１】本発明の一実施の形態によるリモコン送信機の断面図
【図２】同分解斜視図
【図３】同部分斜視図
【図４】電子機器の正面図
【図５】従来のリモコン送信機の斜視図
【図６】同分解斜視図
【符号の説明】
【００４４】
３  配線基板
３Ａ  固定接点
４  回転操作型電子部品
５  球体
６  箱体
７  送信手段
８  制御手段
９  カバー
１１  ケース
１１Ａ  開口孔
１２  操作体
１２Ａ  操作部
１２Ｂ  可動接点
１２Ｃ  円筒部
１５  ボール
１６  ローラ
１７  キャップ
１８  弾性体
１８Ａ  中空部
３０  電子機器
３１  表示画面
３２  カーソル
３３  ポインタ
【図１】
2010050662.tif 000003
【図２】
2010050662.tif 000004
【図３】
2010050662.tif 000005
【図４】
2010050662.tif 000006
【図５】
2010050662.tif 000007
【図６】
2010050662.tif 000008